【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
ビデオデータをコード化する方法であって、
比較された値の間の比を表わす相対次元値を取得するために、前記ビデオデータの現在のブロックの次元の値を前記現在のブロックの近隣ブロックの対応する次元の値と比較すること、前記近隣ブロックは、前記現在のブロックに隣接した位置にある、と、
前記相対次元値によって表わされる前記比に基づいて、前記現在のブロックがマルチタイプツリーベースの区分化スキームの予測ツリー（ＰＴ）部分に従って、または前記マルチタイプツリーベースの領域ツリー（ＲＴ）部分に従って区分化されべきであるかどうかを決定すること、ここにおいて、前記マルチタイプツリーベースの区分化スキームの前記ＰＴ部分は、２分木区分化構造または３つの長方形サブブロック中に正方形ブロックの区分を備える中心側３分木区分化構造のうちの１つを備え、前記ＲＴ部分は、４分木区分化構造で開始する、と、
前記相対次元値によって表わされる前記比に基づいて、前記現在のブロックが前記マルチタイプツリーベースの区分化構造のＰＴ区分に従って区分化されるべきであると決定することと、
複数のサブブロックを形成するために、前記マルチタイプツリーベースの区分化スキームの前記ＰＴ部分に従って前記現在のブロックを区分化することと
を備える、方法。
【請求項２】
前記近隣ブロックは、現在のブロックの上に位置付けられた上近隣ブロックを備え、
前記現在のブロックの前記次元の前記値を前記上近隣ブロックの前記対応する次元の前記値と比較することは、前記現在のブロックの上に位置付けられる前記上近隣ブロックを備える前記近隣ブロックに基づいて、前記現在のブロックの幅を前記近隣ブロックの幅と比較することを備え、
前記現在のブロックを区分化することは、前記現在のブロックを垂直に区分化することを備える、
請求項１に記載の方法。
【請求項３】
前記近隣ブロックは、前記現在のブロックの左に位置付けられた左近隣ブロックを備え、
前記現在のブロックの前記次元を前記左近隣ブロックの前記対応する次元と比較することは、前記現在のブロックの左に位置付けられる前記左近隣ブロックを備える前記近隣ブロックに基づいて、前記現在のブロックの高さを前記近隣ブロックの高さと比較することを備え、
前記現在のブロックを区分化することは、前記現在のブロックを水平に区分化することを備える、
請求項１に記載の方法。
【請求項４】
前記近隣ブロックは、
前記現在のブロックの上および左に位置付けられる左上近隣ブロック、
前記現在のブロックの上および右に位置付けられる右上近隣ブロック、
前記現在のブロックの下および右に位置付けられる左下近隣ブロック、
のうちの１つを備える対角線上の近隣ブロックであり、
前記対角線上の近隣ブロックの前記対応する次元の前記値と前記現在のブロックの前記次元の前記値を比較することは、前記対角線上の近隣ブロックにある前記近隣ブロックに基づいて、前記上近隣ブロックのエリアと前記現在のブロックのエリアを比較することを備える、
請求項１に記載の方法。
【請求項５】
（ｉ）前記現在のブロックの上部境界に沿う最も左の４×４サブブロックの上に位置付けられる第１の上近隣ブロックと、前記現在のブロックの前記上部境界に沿う中央の４×４サブブロックの上に位置付けられる第２の上近隣ブロックと、前記現在のブロックの前記上部境界に沿う最も右の４×４サブブロックの上に位置付けられる第３の上近隣ブロックとを含む複数の上近隣ブロック、または
（ｉｉ）前記現在のブロックの左境界に沿う上部４×４サブブロックの左に位置付けられる第１の左近隣ブロックと、前記現在のブロックの前記左境界に沿う中央４×４サブブロックの左に位置付けられる第２の左近隣ブロックと、前記現在のブロックの前記左境界に沿う下部４×４サブブロックの左に位置付けられる第３の左近隣ブロックとを含む複数の上近隣ブロック
のうちの１つから近隣ブロックを選択することをさらに備える、請求項１に記載の方法。
【請求項６】
前記ビデオデータをコード化する前記方法は、符号化されたビデオデータを復号する方法を備え、前記方法は、
前記複数のサブブロックのうちの１つまたは複数のサブブロックを復号することをさらに備える、
請求項５に記載の方法。
【請求項７】
符号化されたビデオビットストリーム中で、シーケンスパラメータセット（ＳＰＳ）、ピクチャパラメータセット（ＰＰＳ）、または、スライスヘッダ（ＳＨ）のうちの少なくとも１つを受信することと、
前記受信したＳＰＳ、ＰＰＨ、またはＳＨから、前記ＳＰＳ、ＰＰＳ、またはＳＨのうちの前記それぞれの１つに対応する前記ビデオデータのユニットにおける１つまたは複数のブロックのために前記選択された近隣ブロックのインジケーションを復号することと
をさらに備える、請求項６に記載の方法。
【請求項８】
前記コード化する方法は、前記ビデオデータをコード化する方法を備え、前記方法は、
前記複数のサブブロックを符号化することと、
符号化されたビデオビットストリーム中で、前記符号化された複数のサブブロックを表わす符号化されたビデオデータをシグナルすることと
をさらに備える、請求項５に記載の方法。
【請求項９】
シーケンスパラメータセット（ＳＰＳ）、ピクチャパラメータセット（ＰＰＨ）、またはスライスヘッダ（ＳＨ）のうちの１つにおいて、前記ＳＰＳ、ＰＰＳ、またはＳＨのうちの前記それぞれの１つに対応する前記ビデオデータのユニットにおける１つまたは複数のブロックのために前記選択された近隣ブロックのインジケーションをシグナルすることをさらに備える、
請求項８に記載の方法。
【請求項１０】
前記現在のブロックの形状を決定するために、前記現在のブロックの幅を前記現在のブロックの高さと比較することをさらに備え、
前記近隣ブロックを選択することは、前記現在のブロックの前記決定された形状に基づいて、前記複数の左近隣ブロックまたは前記複数の上近隣ブロックのうちの１つから前記近隣ブロックを選択することを備える、
請求項５に記載の方法。
【請求項１１】
前記ビデオデータをコード化する前記方法は、符号化されたビデオデータを復号する方法を備え、前記方法は、
前記現在のブロックの幅または前記現在のブロックの高さのうちの少なくとも１つを、それぞれ、前記現在のブロックのための所定の最小幅または前記現在のブロックのための所定の最低高さのうちの少なくとも１つと比較することと、
前記比較に基づいて、前記現在のブロックを区分化するためのツリータイプまたは前記現在のブロックを区分化するための区分化方向のうちの少なくとも１つを決定することと
をさらに備える、請求項１に記載の方法。
【請求項１２】
前記現在のブロックは、現在のコード化ユニット（ＣＵ）であり、前記ビデオデータをコード化する前記方法は、符号化されたビデオデータを復号する方法を備え、前記方法は、
コード化ツリーユニット（ＣＴＵ）のサイズが現在のピクチャのパディング領域を超えるて広がるようなピクチャ境界に前記ビデオデータの前記ＣＴＵが広がると決定することと、
前記ピクチャ境界に広がっている前記ＣＴＵに基づいて、前記現在のＣＵを含む複数のコード化ユニット（ＣＵ）を形成するために、前記マルチタイプツリー構造の所定の区分化スキームを使用して前記ＣＴＵを再帰的に区分化することと
をさらに備え、前記現在のＣＵは、前記現在のピクチャ内全体に位置付けられる、
請求項１に記載の方法。
【請求項１３】
前記コード化する方法は、前記ビデオデータを符号化する方法を備え、前記方法は、
前記現在のブロックを区分化のために複数の方向ツリータイプ組み合わせのうちのそれぞれの方向ツリータイプ組み合わせに複数のコードワードのうちのそれぞれのコードワードを割り当てることと、
前記複数の方向ツリータイプ組み合わは、水平２分木組み合わせ、垂直２分木組み合わせ、水平中心側３分木、垂直中心側３分木を含み、
前記マルチタイプツリーベースの区分化スキームの前記ＰＴ部分に従って前記現在のブロックを区分化することは、前記複数の方向ツリータイプ組み合わせ中に含まれる特定の方向ツリータイプ組み合わせに従って前記現在のブロックを区分化することを備え、
符号化されたビットストリーム中で、前記現在のブロックが区分化されることに従う前記特定の方向ツリータイプ組み合わせに割り当てられた前記それぞれのコードワードをシグナルすることと、
さらに備える、請求項１に記載の方法。
【請求項１４】
ビデオデータをコード化するためのデバイスであって、
前記ビデオデータを記憶するように構成されたメモリと、
前記メモリと通信している処理回路と
を備え、前記処理回路は、
比較された値の間の比を表わす相対次元値を取得するために、前記記憶されたビデオデータの現在のブロックの次元の値を前記現在のブロックの近隣ブロックの対応する次元の値と比較すること、前記近隣ブロックは、前記現在のブロックに隣接した位置にある、と、
前記相対次元値によって表わされる前記比に基づいて、前記現在のブロックがマルチタイプツリーベースの区分化スキームの予測ツリー（ＰＴ）部分に従って、または前記マルチタイプツリーベースの領域ツリー（ＲＴ）部分に従って区分化されるべきであると決定すること、ここにおいて、前記マルチタイプツリーベースの区分化スキームの前記ＰＴ部分は、２分木区分化構造または３つの長方形サブブロック中に正方形ブロックの区分を備える中心側３分木区分化構造のうちの１つを備え、前記ＲＴ部分は、４分木区分化構造で開始する、と、
前記相対次元値によって表わされる前記比に基づいて、前記現在のブロックが前記マルチタイプツリーベースの区分化構造のＰＴ区分に従って区分化されるべきであると決定することと、
複数のサブブロックを形成するために、前記マルチタイプツリーベースの区分化スキームの前記ＰＴ部分に従って前記現在のブロックを区分化することと
を行うように構成される、デバイス。